(57)【特許請求の範囲】
【請求項１】
ベース基板のアクティブ領域に設けられた有機発光素子層と、
前記有機発光素子層を保護可能に封止（ｅｎｃａｐｓｕｌａｔｉｏｎ）する封止層と、
前記封止層で前記有機発光素子層の上面及び側面を覆うように前記有機発光素子層上に設けられた接着層と、
前記封止層で前記接着層上に設けられた封止基板と、
前記ベース基板のパッド領域に設けられた信号パッドと、
前記信号パッドと前記接着層との間に設けられたカバー層と、
を備え、
前記ベース基板に垂直な方向を厚さと規定した際に、前記封止基板は、前記アクティブ領域の外周において、前記アクティブ領域における厚さと異なる厚さを有する領域が含まれ、
前記接着層の第１の端部が、
前記カバー層によって封止される第１側面と、
前記第１側面上に前記第１側面から離間して配置され、前記封止基板によって取り囲まれる第２側面と、
を備え、
前記接着層は、前記アクティブ領域において前記封止基板よりも厚い、有機発光表示装置。
【請求項２】
前記アクティブ領域に設けられた前記接着層は、前記アクティブ領域の外周に設けられた前記接着層の一部よりも厚い厚さを有する、請求項１に記載の有機発光表示装置。
【請求項３】
前記封止基板は、前記アクティブ領域の外周において、前記ベース基板に垂直な方向で前記アクティブ領域に対して段差を有するように設けられた、請求項１に記載の有機発光表示装置。
【請求項４】
前記アクティブ領域に設けられた前記封止基板は、前記アクティブ領域の外周に設けられた前記封止基板よりも薄い厚さを有する、請求項１に記載の有機発光表示装置。
【請求項５】
前記有機発光素子層の下部に設けられた中立面と、
前記ベース基板のアクティブ領域で前記有機発光素子層の下部に設けられた薄膜トランジスタ層と、
をさらに備える、請求項１に記載の有機発光表示装置。
【請求項６】
前記カバー層と前記封止基板とが前記アクティブ領域の外周で接するように設けられた、請求項１に記載の有機発光表示装置。
【請求項７】
前記ベース基板の下面上には前記ベース基板を支持するためのバックフィルムがさらに設けられ、
前記ベース基板は透明ポリイミド（ｐｏｌｙｉｍｉｄｅ）で設けられた、請求項１に記載の有機発光表示装置。
【請求項８】
ベース基板のアクティブ領域に設けられた有機発光素子層と、
前記有機発光素子層を保護可能に封止（ｅｎｃａｐｓｕｌａｔｉｏｎ）する封止層と、
を備え、
前記封止層は、前記有機発光素子層の上面及び側面を覆うように前記有機発光素子層上に設けられた接着層と、前記接着層上に設けられた封止基板と、を有し、
前記ベース基板のパッド領域に設けられた信号パッドと、
前記信号パッドと前記接着層との間に設けられたカバー層と、
をさらに備え、
前記ベース基板に垂直な方向を厚さと規定した際に、前記封止基板は、前記アクティブ領域の外周において、前記ベース基板に垂直な方向で前記アクティブ領域に対して段差を有するとともに、前記段差における厚さが前記アクティブ領域における厚さと異なるように設けられ、
前記接着層の第１の端部が、
前記カバー層によって封止される第１側面と、
前記第１側面上に前記第１側面から離間して配置され、前記封止基板によって取り囲まれる第２側面と、
を備え、
前記接着層は、前記アクティブ領域において前記封止基板よりも厚い、有機発光表示装置。
【請求項９】
前記アクティブ領域の外周に設けられた前記封止基板は、前記アクティブ領域に設けられた前記封止基板よりも低い位置に設けられた、請求項８に記載の有機発光表示装置。
【請求項１０】
前記アクティブ領域に設けられた前記封止基板は、前記アクティブ領域の外周に設けられた前記封止基板よりも薄い厚さを有する、請求項９に記載の有機発光表示装置。
【請求項１１】
前記有機発光素子層は、前記ベース基板のアクティブ領域に設けられた薄膜トランジスタ層を有し、
前記有機発光素子層の下部に中立面が設けられた、請求項８に記載の有機発光表示装置。
【請求項１２】
前記カバー層と前記封止基板とが前記アクティブ領域の外周で接するように設けられた、請求項８に記載の有機発光表示装置。
【請求項１３】
前記ベース基板の下面上には前記ベース基板を支持するためのバックフィルムがさらに設けられ、
前記ベース基板は、透明ポリイミド（ｐｏｌｙｉｍｉｄｅ）で設けられた、請求項８に記載の有機発光表示装置。
【請求項１４】
ベース基板のアクティブ領域に設けられた有機発光素子層と、
前記有機発光素子層を保護可能に封止（ｅｎｃａｐｓｕｌａｔｉｏｎ）する封止層と、
前記封止層で前記有機発光素子層の上面及び側面を覆うように前記有機発光素子層上に設けられた接着層と、
前記封止層で前記接着層上に設けられた封止基板と、
前記ベース基板のパッド領域に設けられた信号パッドと、
前記信号パッドと前記接着層との間に設けられたカバー層と、
を備え、
前記ベース基板に垂直な方向を厚さと規定した際に、前記封止基板は、前記接着層の側面の一部を覆うように設けられるとともに、前記アクティブ領域の外周において、前記アクティブ領域における厚さと異なる厚さを有し、
前記接着層の第１の端部が、
前記カバー層によって封止される第１側面と、
前記第１側面上に前記第１側面から離間して配置され、前記封止基板によって取り囲まれる第２側面と、
を備え、
前記接着層は、前記アクティブ領域において前記封止基板よりも厚い有機発光表示装置。
【請求項１５】
前記アクティブ領域に設けられた前記接着層は、前記アクティブ領域の外周に設けられた前記接着層の一部よりも厚い厚さを有する、請求項１４に記載の有機発光表示装置。
【請求項１６】
前記封止基板は、前記アクティブ領域の外周において、前記ベース基板に垂直な方向で前記アクティブ領域に対して段差を有するように設けられた、請求項１４に記載の有機発光表示装置。
【請求項１７】
前記アクティブ領域に設けられた前記封止基板は、前記アクティブ領域の外周に設けられた前記封止基板よりも薄い厚さを有する、請求項１４に記載の有機発光表示装置。
【請求項１８】
前記有機発光素子層の下部に設けられた中立面と、
前記ベース基板のアクティブ領域で前記有機発光素子層の下部に設けられた薄膜トランジスタ層と、
をさらに備える、請求項１４に記載の有機発光表示装置。
【請求項１９】
前記カバー層と前記封止基板とが前記アクティブ領域の外周で接するように設けられた、請求項１４に記載の有機発光表示装置。
【請求項２０】
アクティブ領域とパッド領域を有するベース基板と、
前記アクティブ領域に設けられた有機発光素子層と、
前記有機発光素子層上に設けられた接着層と、
前記接着層上に設けられた封止基板と、
前記パッド領域に設けられた信号パッドと、
前記アクティブ領域と前記パッド領域との間に設けられたカバー層と、
を備え、
前記カバー層と前記封止基板とが前記アクティブ領域の外周で接するように設けられ、
前記ベース基板に垂直な方向を厚さと規定した際に、前記封止基板は、前記アクティブ領域の外周において、前記アクティブ領域における厚さと異なる厚さを有する領域が含まれ、
前記接着層の第１の端部が、
前記カバー層によって封止される第１側面と、
前記第１側面上に前記第１側面から離間して配置され、前記封止基板によって取り囲まれる第２側面と、
を備え、
前記接着層は、前記アクティブ領域において前記封止基板よりも厚い、有機発光表示装置。
【請求項２１】
前記封止基板は、前記アクティブ領域と前記アクティブ領域の外周とで、異なる厚さを有するように設けられた、請求項２０に記載の有機発光表示装置。
【請求項２２】
前記封止基板は、前記アクティブ領域と前記アクティブ領域の外周とで、段差を有するように設けられた、請求項２０に記載の有機発光表示装置。
【請求項２３】
前記カバー層は、ポリマー材質を含むものであり、前記ベース基板上にコートされる、請求項２０に記載の有機発光表示装置。
【請求項２４】
前記カバー層は、前記アクティブ領域と接する第１部分と、前記パッド領域と接する第２部分とを含み、前記第１部分は、前記第２部分よりも高い、請求項２０に記載の有機発光表示装置。
【発明の詳細な説明】
【技術分野】
【０００１】
本発明は、有機発光表示装置に関し、特に、有機発光素子層の信頼性を向上させることができる有機発光表示装置に関する。
【背景技術】
【０００２】
有機発光表示装置（ＯＬＥＤ）は自発光素子であって、消費電力が低く、高速の応答速度、高い発光効率、高い輝度及び広視野角を有している。
【０００３】
有機発光表示装置（ＯＬＥＤ）は、有機発光素子から発光した光の透過方向によって、上部発光方式（ｔｏｐ  ｅｍｉｓｓｉｏｎ  ｔｙｐｅ）と下部発光方式（ｂｏｔｔｏｍ  ｅｍｉｓｓｉｏｎ  ｔｙｐｅ）とに区別される。前記下部発光方式は、発光層と画像表示面との間に回路素子が位置しており、この回路素子によって開口率が低下するという短所があるが、前記上部発光方式は、発光層と画像表示面との間に回路素子が位置せず、開口率が向上するという長所がある。
【０００４】
図１は、従来の有機発光表示装置の概略的な断面図である。
【０００５】
図１に示すように、基板１０上のアクティブ領域（Ａｃｔｉｖｅ  Ａｒｅａ；ＡＡ）には、薄膜トランジスタ層１１、有機発光素子層１２、接着層１３及び封止基板１４が形成されている。
【０００６】
前記薄膜トランジスタ層１１は、アクティブ層（図示せず）、ゲート絶縁膜（図示せず）、ゲート電極（図示せず）、層間絶縁膜（図示せず）、ソース電極（図示せず）及びドレイン電極（図示せず）を含んでなり、有機発光素子層１２の発光に必要な信号を伝達する。
【０００７】
前記有機発光素子層１２は、アノード電極（図示せず）、有機発光層（図示せず）及びカソード電極（図示せず）を含んでなり、前記有機発光層から発光して前記カソード電極を通過した光を用いて映像を表示する。
【０００８】
前記接着層１３は、前記有機発光素子層１２の上面及び側面を覆うように設けられて、前記封止基板１４を前記有機発光素子層１２に接着させる。
【０００９】
前記封止基板１４は前記接着層１３上に設けられて、前記有機発光素子層１２の設けられている前記基板１０を封止することによって、前記基板１０に設けられている素子を保護する。
【００１０】
このような従来の有機発光表示装置には次のような問題がある。
【００１１】
前記封止基板１４は、材料の特性上、透湿防止効果が強いが、前記接着層１３は透湿防止効果が弱いため、前記有機発光素子層１２の側面に設けられた接着層１３のＳ領域に水のような分子が浸透して、前記有機発光素子層１２を劣化させるという問題があった。
【００１２】
従来はこのような問題を解決するために前記接着層１３を薄く形成する方式が開発されたが、この方式では、前記有機発光素子層１２の側面からの透湿を防止することはできるが、前記接着層１３が薄くなると、外部衝撃による物理的ダメージによって有機発光表示装置にクラックが発生するという問題があった。
【００１３】
すなわち、有機発光素子層１２の側面からの透湿の防止のために接着層１３を薄く付着することから有機発光表示装置にクラックができ、このため、有機発光表示装置の一部の領域に暗点が発生した。
【００１４】
また、従来のフレキシブル有機発光表示装置には次のような問題がある。
【００１５】
フレキシブル画面を具現するためには、図１に示す複数の積層構造内で中立面（Ｎｅｕｔｒａｌ  Ｐｌａｎｅ）の位置を調節して内部の力を適切に分配しなければならない。しかし、従来のフレキシブル有機発光表示装置では、複数の積層構造のうち、前記封止基板１４が相対的に最も大きい厚さを有するように設けられるため、中立面が前記接着層１３と前記封止基板１４との境界領域に位置することになる。
【００１６】
このため、有機発光表示パネルが下方に膨らむようにベンディング（ｂｅｎｄｉｎｇ）する場合、前記接着層１３の下部の前記有機発光素子層１２に強い引張力（ｔｅｎｓｉｌｅ）が加えられ、前記有機発光素子層１２の有機発光層とカソード電極とが剥離する問題があった。
【００１７】
図２は、従来の有機発光表示装置の有機発光層とカソード電極間の剥離現象を示す図である。
【００１８】
したがって、有機発光素子層１２の側面からの透湿を防止し、フレキシブル有機発光表示装置の安定性を向上させ得る技術の必要性が増加している状況である。
【発明の概要】
【発明が解決しようとする課題】
【００１９】
本発明は、前述した従来の問題点を解決するために案出されたものであり、物理的衝撃に対する信頼性を維持しながら有機発光素子層の側面からの透湿を防止し、有機発光素子層での剥離現象の発生を防止することによって、有機発光素子層の信頼性を向上させることができる有機発光表示装置を提供することを目的とする。
【課題を解決するための手段】
【００２０】
前記の目的を達成するために、本発明に係る有機発光表示装置は、ベース基板のアクティブ領域に設けられた有機発光素子層と、有機発光素子層を保護可能に封止（ｅｎｃａｐｓｕｌａｔｉｏｎ）する封止層とを備え、封止層は、有機発光素子層の上面及び側面を覆うように設けられた接着層及び封止基板を有し、有機発光素子層の側面からの透湿を防止し得るように、封止基板はアクティブ領域とアクティブ領域の外周で異なる厚さで設けられる。
【００２１】
本発明の他の発明に係る有機発光表示装置は、ベース基板のアクティブ領域に設けられた有機発光素子層と、有機発光素子層を保護可能に封止する封止層とを備え、封止層は、有機発光素子層の上面及び側面を覆うように設けられた接着層及び封止基板を有し、有機発光素子層の側面からの透湿を防止し得るように、封止基板はアクティブ領域とアクティブ領域の外周で段差を有するように設けられる。
【発明の効果】
【００２２】
以上のような本発明によれば、次のような効果がある。
【００２３】
本発明によれば、アクティブ領域とアクティブ領域の外周で封止基板が異なる厚さを有するように設けられるとともに、アクティブ領域の外周で封止基板が有機発光素子層をカバーする長さを増加させることによって、前記有機発光素子層の側面での透湿を防止することができる。
【００２４】
また、本発明によれば、アクティブ領域とアクティブ領域の外周で封止基板が段差を有するように設けられるとともに、アクティブ領域の外周で封止基板が有機発光素子層をカバーする長さを増加させることによって、前記有機発光素子層の側面での透湿を防止することができる。
【００２５】
また、本発明によれば、中立面が薄膜トランジスタ層に位置可能な厚さでアクティブ領域内の接着層及び封止基板を設けることなよって、有機発光素子層には弱い引張力又は圧縮力だけが加えられるようにし、安定したフレキシビリティを実現することができる。
【図面の簡単な説明】
【００２６】
【図１】従来の有機発光表示装置の概略的な断面図である。
【図２】従来の有機発光表示装置の有機発光層とカソード電極間の剥離現象を示す図である。
【図３】本発明の実施例に係る有機発光表示装置の概略的な平面図である。
【図４】図３のＡ−Ａ’ラインに沿って切り取った、本発明の第１実施例に係る有機発光表示装置の断面図である。
【図５】図３のＡ−Ａ’ラインに沿って切り取った、本発明の第２実施例に係る有機発光表示装置の断面図である。
【図６】フレキシブル有機発光表示装置に曲げが発生した場合、中立面を基準に引張力及び圧縮力の相対的な大きさを示すグラフである。
【図７Ａ】従来の有機発光表示装置における中立面の位置を示すグラフである。
【図７Ｂ】本発明の実施例に係る有機発光表示装置における中立面の位置を 示すグラフである。
【図８Ａ】本発明の第１実施例に係る有機発光表示装置の接着層及び封止基板の製造方法を示す工程断面図である。
【図８Ｂ】本発明の第１実施例に係る有機発光表示装置の接着層及び封止基板の製造方法を示す工程断面図である。
【図８Ｃ】本発明の第１実施例に係る有機発光表示装置の接着層及び封止基板の製造方法を示す工程断面図である。
【図８Ｄ】本発明の第１実施例に係る有機発光表示装置の接着層及び封止基板の製造方法を示す工程断面図である。
【図９Ａ】本発明の第２実施例に係る有機発光表示装置の接着層及び封止基板の製造方法を示す工程断面図である。
【図９Ｂ】本発明の第２実施例に係る有機発光表示装置の接着層及び封止基板の製造方法を示す工程断面図である。
【図９Ｃ】本発明の第２実施例に係る有機発光表示装置の接着層及び封止基板の製造方法を示す工程断面図である。
【発明を実施するための形態】
【００２７】
本発明の利点及び特徴、並びにそれらを達成する方法は、添付する図面と共に詳しく後述する実施例から明確になるであろう。しかし、本発明は以下に開示する実施例に限定されるものではなく、他の様々な形態として具現してもよい。したがって、本実施例は、単に、本発明の開示を完全にさせ、本発明の属する技術の分野における通常の知識を有する者に発明の範ちゅうを完全に知らせるために提供されるものであり、本発明は請求項の範ちゅうによってのみ定義される。
【００２８】
本発明の実施例を説明するための図面に開示された形状、大きさ、比率、角度、個数などは例示的なものであり、本発明が図示の事項に限定されるわけではない。明細書全体を通じて同一の参照符号は同一の構成要素を指す。また、本発明を説明する際に、関連した公知技術に関する具体的な説明が本発明の要旨を余計に曖昧にし得ると判断される場合にはその詳細な説明を省略する。本明細書において「含む」、「備える」、「有する」、「なる」などが使われる場合に、「〜だけ」が使われない限り、他の部分が追加されてもよい。構成要素を単数で表現した場合に、特別の明示的な記載事項がない限り、複数を含む場合を含む。
【００２９】
構成要素を解釈する際、別の明示的記載がなくても誤差範囲を含むものとして解釈する。
【００３０】
位置関係の説明において、例えば、「〜上に」、「〜上部に」、「〜下部に」、「〜側に」などのように２つの部分の位置関係が説明される場合、「直ちに」又は「直接」が使われない以上、両部分の間に一つ以上の他の部分が位置してもよい。
【００３１】
時間関係の説明において、例えば、「〜後に」、「〜に続いて」、「〜次に」，「〜前に」などのように時間的な前後関係が説明される場合、「直ちに」又は「直接」が使われない以上、連続しない場合も含むことができる。
【００３２】
第１、第２などが様々な構成要素を述べるために使われるが、それらの構成要素はそれらの用語によって制限されない。それらの用語は単に一つの構成要素を他の構成要素と区別するために使われるものである。したがって、以下に言及する第１構成要素は、本発明の技術的思想内で第２構成要素であってもよい。
【００３３】
本発明の様々な実施例の各特徴を部分的に又は全体的に互いに結合又は組み合わせしてもよく、技術的に様々に連動及び駆動してもよく、各実施例をそれぞれ独立して実施することもでき、関連関係によって共に実施してもよい。
【００３４】
以下、図面を参照して本発明の好ましい実施例について詳しく説明する。
【００３５】
図３は、本発明の実施例に係る有機発光表示装置の概略的な平面図である。
【００３６】
図３に示すように、本発明の実施例に係る有機発光表示装置は、有機発光表示パネル１００、ゲート駆動部２００、軟性フィルム３２０、ドライブＩＣ３３０、回路基板４００及びタイミング制御部４１０を含んでなる。
【００３７】
前記有機発光表示パネル１００は、ベース基板１２０及び封止基板１７０を含んでなる。
【００３８】
前記ベース基板１２０は、映像が表示されるアクティブ領域（Ａｃｔｉｖｅ  Ａｒｅａ；Ａ／Ａ）及び非表示領域Ｎ／Ａからなるが、前記アクティブ領域Ａ／Ａにはゲートライン（図示せず）とデータライン（図示せず）が形成され、ゲートラインとデータラインとの交差領域に発光部がそれぞれ形成されて映像が表示される。
【００３９】
前記非表示領域Ｎ／Ａは前記表示領域Ａ／Ａの一側縁に位置する。前記非表示領域Ｎ／Ａには、複数の薄膜トランジスタ（図示せず）を含むゲート駆動部２００を具備することができる。
【００４０】
前記ベース基板１２０は、フレキシビリティ（ｆｌｅｘｉｂｉｌｉｔｙ）を有する絶縁物質で形成することができる。例えば、ベース基板１２０は、ＴＡＣ（ｔｒｉａｃｅｔｙｌ  ｃｅｌｌｕｌｏｓｅ）又はＤＡＣ（ｄｉａｃｅｔｙｌ  ｃｅｌｌｕｌｏｓｅ）などのようなセルロース樹脂、ノルボルネン誘導体（Ｎｏｒｂｏｒｎｅｎｅ  ｄｅｒｉｖａｔｉｖｅｓ）などのＣＯＰ（ｃｙｃｌｏ  ｏｌｅｆｉｎ  ｐｏｌｙｍｅｒ）、ＣＯＣ（ｃｙｃｌｏ  ｏｌｅｆｉｎ  ｃｏｐｏｌｙｍｅｒ）、ＰＭＭＡ（ｐｏｌｙ（ｍｅｔｈｙｌｍｅｔｈａｃｒｙｌａｔｅ）などのアクリル樹脂、ＰＣ（ｐｏｌｙｃａｒｂｏｎａｔｅ）、ＰＥ（ｐｏｌｙｅｔｈｙｌｅｎｅ）又はＰＰ（ｐｏｌｙｐｒｏｐｙｌｅｎｅ）などのポリオレフィン（ｐｏｌｙｏｌｅｆｉｎ）、ＰＶＡ（ｐｏｌｙｖｉｎｙｌ  ａｌｃｏｈｏｌ）、ＰＥＳ（ｐｏｌｙ  ｅｔｈｅｒ  ｓｕｌｆｏｎｅ）、ＰＥＥＫ（ｐｏｌｙｅｔｈｅｒｅｔｈｅｒｋｅｔｏｎｅ）、ＰＥＩ（ｐｏｌｙｅｔｈｅｒｉｍｉｄｅ）、ＰＥＮ（ｐｏｌｙｅｔｈｙｌｅｎｅｎａｐｈｔｈａｌａｔｅ）、ＰＥＴ（ｐｏｌｙｅｔｈｙｌｅｎｅｔｅｒｅｐｈｔｈａｌａｔｅ）などのポリエステル（ｐｏｌｙｅｓｔｅｒ）、ＰＩ（ｐｏｌｙｉｍｉｄｅ）、ＰＳＦ（ｐｏｌｙｓｕｌｆｏｎｅ）、又はフッ素樹脂（ｆｌｕｏｒｉｄｅ  ｒｅｓｉｎ）などを含むシート又はフィルムであってもよいが、これに限定されない。
【００４１】
また、図３には示していないが、前記ベース基板１２０の下面上には、前記ベース基板１２０を支持するためのバックフィルムがさらに設けられる。具体的に、前記バックフィルムはラミネーション（ｌａｍｉｎａｔｉｏｎ）工程によって前記ベース基板１２０の下面に付着されて、前記ベース基板１２０を平面状態に維持させることができる。
【００４２】
前記封止基板１７０は前記ベース基板１２０上に設けられる。前記封止基板１７０は金属ホイルのような金属フィルム形態で設けられて、前記ベース基板１２０上に設けられている素子を保護する。具体的に、前記封止基板１７０は外部の衝撃から薄膜トランジスタ（図示せず）及び有機発光素子層（図示せず）などを保護し、前記有機発光表示パネル１００の内部に水分が浸透することを防止する。前記封止基板１７０は前記ベース基板１２０よりも小さく形成され、これによって、前記ベース基板１２０の一部は前記封止基板１７０に覆われずに露出され得る。
【００４３】
また、前記ベース基板１２０と前記封止基板１７０との間には、前記ベース基板１２０と前記封止基板１７０とを接着させるための接着層（図示せず）がさらに設けられている。接着層は前記ベース基板１２０に設けられた有機発光素子層（図示せず）の上面及び側面に設けられて、前記封止基板１７０が前記ベース基板１２０を封止できるように前記封止基板１７０を接着させる。
【００４４】
前述したように、前記ベース基板１２０の一部は前記封止基板１７０によって覆われずに露出され得る。前記封止基板１７０によって覆われずに露出された前記ベース基板１２０の一部の領域には、データパッドのような信号パッド（図示せず）が設けられる。
【００４５】
前記ゲート駆動部２００は、前記タイミング制御部４１０から入力されるゲート制御信号によってゲートラインにゲート信号を供給する。本発明の実施例では前記ゲート駆動部２００が前記有機発光表示パネル１００のアクティブ領域Ａ／Ａの一外側にＧＩＰ（ｇａｔｅ  ｄｒｉｖｅｒ  ｉｎ  ｐａｎｅｌ）方式で形成されたものを例示しているが、本発明はこれに限定されない。すなわち、前記ゲート駆動部２００は、前記有機発光表示パネル１００のアクティブ領域Ａ／Ａの両外側にＧＩＰ方式で形成されてもよく、駆動チップとして製作されて軟性フィルムに実装され、ＴＡＢ（ｔａｐｅ  ａｕｔｏｍａｔｅｄ  ｂｏｎｄｉｎｇ）方式で前記有機発光表示パネル１００に付着されてもよい。
【００４６】
前記軟性フィルム３２０には、信号パッドと前記ドライブＩＣ３３０とを接続する配線、信号パッドと前記回路基板４００の配線とを接続する配線が設けられてもよい。前記軟性フィルム３２０は異方性導電フィルム（Ａｎｔｉｓｏｔｒｏｐｉｃ  Ｃｏｎｄｕｃｔｉｎｇ  Ｆｉｌｍ；ＡＣＦ）（図示せず）を用いて信号パッド上に付着され、これによって信号パッドと前記軟性フィルム３２０の配線とを接続することができる。
【００４７】
前記ドライブＩＣ（Ｉｎｔｅｇｒａｔｅｄ  Ｃｉｒｃｕｉｔ）３３０は、前記タイミング制御部４１０からデジタルビデオデータ及びソース制御信号を受け取る。前記ドライブＩＣ３３０は、ソース制御信号に応じてデジタルビデオデータをアナログデータ電圧に変換してデータラインに供給する。前記ドライブＩＣ３３０は駆動チップとして製作される場合、ＣＯＦ（Ｃｈｉｐ  Ｏｎ  Ｆｉｌｍ）又はＣＯＰ（Ｃｈｉｐ  Ｏｎ  Ｐｌａｓｔｉｃ）方式で前記軟性フィルム３２０に実装され得る。
【００４８】
前記回路基板４００は前記軟性フィルム３２０に付着され得る。前記回路基板４００には、駆動チップとして具現された複数の回路が実装され得る。例えば、前記回路基板４００には前記タイミング制御部４１０が実装されてもよい。前記回路基板４００は、印刷回路基板（Ｐｒｉｎｔｅｄ  Ｃｉｒｃｕｉｔ  Ｂｏａｒｄ；ＰＣＢ）又は軟性印刷回路基板（Ｆｌｅｘｉｂｌｅ  Ｐｒｉｎｔｅｄ  Ｃｉｒｃｕｉｔ  Ｂｏａｒｄ；ＦＰＣＢ）であってもよい。
【００４９】
前記タイミング制御部（Ｔｉｍｉｎｇ  Ｃｏｎｔｒｏｌｌｅｒ；Ｔ−ｃｏｎ）４１０は、外部のシステムボード（図示せず）からデジタルビデオデータ及びタイミング信号を受け取る。前記タイミング制御部４１０は、タイミング信号に基づいて、前記ゲート駆動部２００の動作タイミングを制御するためのゲート制御信号と前記ドライブＩＣ３３０を制御するためのソース制御信号を発生する。前記タイミング制御部４００は、ゲート制御信号を前記ゲート駆動部２００に供給し、ソース制御信号を前記ドライブＩＣ３１０に供給する。
【００５０】
前述したように、前記封止基板１７０は接着層を介して前記ベース基板１２０上に接着されるが、金属シートの形態で設けられる前記封止基板１７０は、物質自体の特性によって水のような分子の透湿を効果的に防止できるが、前記接着層は物質自体の特性によって透湿を効果的に防止できず、前記有機発光素子層の側面からの透湿が前記有機発光表示パネル１００の信頼性を低下させることがある。すなわち、透湿によって前記有機発光表示パネル１００の有機発光素子が劣化することがある。
【００５１】
したがって、本発明の実施例では、前記封止基板１７０が前記有機発光素子層の側面を覆う領域を拡張させることによって、前記有機発光素子層の側面からの透湿を防止する。
【００５２】
以下では、本発明の実施例に係る封止基板を用いて透湿を防止する構造について具体的に説明する。
【００５３】
図４は、図３のＡ−Ａ’ラインに沿って切り取った、本発明の第１実施例に係る有機発光表示装置の断面図である。
【００５４】
図４に示すように、本発明の第１実施例に係る有機発光表示装置は、ベース基板１２０上に設けられたアクティブ領域（Ａｃｔｉｖｅ  Ａｒｅａ；Ａ／Ａ）及びパッド領域（Ｐａｄ  Ａｒｅａ；Ｐ／Ａ）を含んでなる。
【００５５】
前記ベース基板１２０上のアクティブ領域Ａ／Ａには、薄膜トランジスタ層１３０、有機発光素子層１４０、接着層１６０及び封止基板１７０が形成されている。
【００５６】
図４には示していないが、前記薄膜トランジスタ層１３０は、アクティブ層、ゲート絶縁膜、ゲート電極、層間絶縁膜、ソース電極及びドレイン電極などを含んでなる。
【００５７】
前記アクティブ層は前記ゲート電極と重なるように前記ベース基板１２０上に形成される。前記ゲート絶縁膜は前記アクティブ層上に形成される。前記ゲート絶縁膜は前記アクティブ層とゲート電極とを絶縁させる機能を有する。前記ゲート電極は前記ゲート絶縁膜上に形成される。前記ゲート電極は前記ゲート絶縁膜を介在して前記アクティブ層と重なるように形成される。
【００５８】
前記層間絶縁膜は前記ゲート電極上に形成される。前記層間絶縁膜は、前記ゲート絶縁膜と同じ無機絶縁物質で形成されてもよいが、それに限定されるものではない。前記ソース電極及びドレイン電極は前記層間絶縁膜上で向かい合うように形成される。前記ソース電極はコンタクトホールを通して前記アクティブ層の他端領域に接続し、前記ドレイン電極はコンタクトホールを通して前記アクティブ層の一端領域に接続する。
【００５９】
以上のような薄膜トランジスタ層１３０の構成は、図示の構造に限定されず、当業者に公知である構成に様々に変形可能である。例えば、図面において、ゲート電極がアクティブ層の下に形成されるボトムゲート（Ｂｏｔｔｏｍ  Ｇａｔｅ）構造であってもよい。
【００６０】
図４には示していないが、前記有機発光素子層１４０は、アノード電極、有機発光層及びカソード電極を含んでなる。
【００６１】
前記アノード電極は前記薄膜トランジスタ層１３０上に形成されている。前記アノード電極はコンタクトホールを通して前記薄膜トランジスタ層１３０のソース電極に接続する。
【００６２】
前記アノード電極は、前記有機発光層から発光された光を上部方向に反射させる役割を担い、そのために、反射度に優れた物質を含んでなる。
【００６３】
前記有機発光層は前記アノード電極上に形成される。前記有機発光層は、正孔注入層（Ｈｏｌｅ  Ｉｎｊｅｃｔｉｎｇ  Ｌａｙｅｒ）、正孔輸送層（Ｈｏｌｅ  Ｔｒａｎｓｐｏｒｔｉｎｇ  Ｌａｙｅｒ）、発光層（Ｅｍｉｔｔｉｎｇ  Ｌａｙｅｒ）、電子輸送層（Ｅｌｅｃｔｒｏｎ  Ｔｒａｎｓｐｏｒｔｉｎｇ  Ｌａｙｅｒ）、及び電子注入層（Ｅｌｅｃｔｒｏｎ  Ｉｎｊｅｃｔｉｎｇ  Ｌａｙｅｒ）を含むことができる。前記有機発光層の構造は当業界に公知である様々な形態に変更してもよい。
【００６４】
前記カソード電極は前記有機発光層上に形成されている。前記カソード電極は、光の放出される面に形成されるため、透明な導電物質からなる。前記カソード電極は透明な導電物質からなるため、抵抗が高くなり、したがって、前記カソード電極の抵抗を減らすために、前記カソード電極は前記アノード電極と離隔してさらに設けられる補助電極に接続してもよい。
【００６５】
以上のような有機発光素子層１４０の構成は図示の構造に限定されず、当業者に公知である構成に様々に変形可能である。
【００６６】
前記接着層１６０は、前記有機発光素子層１４０上で前記有機発光素子層１４０の上面及び側面を覆うように設けられて、前記有機発光素子層１４０と前記封止基板１７０とを接着させる。具体的に、前記封止基板１７０に前記接着層１６０をラミネーションした後、これを、前記有機発光素子層１４０が設けられている前記ベース基板１２０に貼り合わせる方式で前記ベース基板１２０を密封することができる。
【００６７】
前記接着層１６０は、熱硬化型又は自然硬化型の接着剤であってもよい。例えば、前記接着層１６０は、ＰＳＡ（ｐｒｅｓｓｕｒｅ  ｓｅｎｓｉｔｉｖｅ  ａｄｈｅｓｉｖｅ）、ＯＣＡ（ｏｐｔｉｃａｌ  ｃｌｅａｒ  ａｄｈｅｓｉｖｅ）又はＯＣＲ（ｏｐｔｉｃａｌ  ｃｌｅａｒ  ｒｅｓｉｎ）のような物質で形成することができる。
【００６８】
前記封止基板１７０は、前記接着層１６０上に設けられて前記有機発光素子層１４０を封止する。前述したように、前記接着層１６０は前記有機発光素子層１４０の上面だけでなく側面も覆うように設けられるため、前記接着層１６０は前記ベース基板１２０上で前記アクティブ領域Ａ／Ａの他、前記アクティブ領域Ａ／Ａの外周にも設けられ、前記接着層１６０上に設けられる前記封止基板１７０も、前記アクティブ領域Ａ／Ａ及び前記アクティブ領域Ａ／Ａの外周に設けられる。
【００６９】
前記接着層１６０及び前記封止基板１７０はいずれも前記有機発光素子層１４０を保護するために設けられるレイヤであることから、それらを総じて封止層と呼ぶこともできる。
【００７０】
本発明の第１実施例に係る前記封止基板１７０は、図４に示すように、前記アクティブ領域Ａ／Ａ及び前記アクティブ領域Ａ／Ａの外周において異なる厚さで設けられることにより、前記有機発光素子層１４０の側面に設けられた前記接着層１６０から水分が浸透することを防止する。
【００７１】
具体的に、前記アクティブ領域Ａ／Ａに設けられた前記封止基板１７０は、前記アクティブ領域Ａ／Ａの外周に設けられた前記封止基板１７０よりも薄く設けられる。すなわち、本発明の第１実施例では、透湿防止効果に優れた前記封止基板１７０を前記アクティブ領域Ａ／Ａの外周でよりも厚く設けることによって、前記接着層１６０からの水分の浸透を防止することができる。
【００７２】
なお、前記接着層１６０を薄くするほど前記有機発光素子層１４０の側面からの水分浸透の防止効果は増大するが、外部衝撃による物理的ダメージによって前記有機発光素子層１４０の有機物にクラック（ｃｒａｃｋ）ができる恐れがある。
したがって、本発明の実施例では、前記アクティブ領域Ａ／Ａの外周に設けられる前記封止基板１７０の厚さだけを増加させ、前記アクティブ領域Ａ／Ａでは従来の有機発光表示装置に比べて前記封止基板１７０の厚さを減少させる一方で前記接着層１６０の厚さを増加させることができる。一例として、前記アクティブ領域Ａ／Ａに設けられた前記接着層１６０が前記封止基板１７０より厚くてもよい。
【００７３】
前記ベース基板１２０上のパッド領域（Ｐ／Ａ）には、信号パッド２１０、異方性導電フィルム（Ａｎｔｉｓｏｔｒｏｐｉｃ  Ｃｏｎｄｕｃｔｉｎｇ  Ｆｉｌｍ；ＡＣＦ）３１０及び軟性フィルム３２０が形成されている。
【００７４】
前記信号パッド２１０は、前記ベース基板１２０上で前記薄膜トランジスタ層１３０と離隔して形成され、前記軟性フィルム３２０を介して外部の駆動回路と接続して、前記薄膜トランジスタ層１３０の駆動のための信号を受け取る。
【００７５】
前記異方性導電フィルム３１０は、前記信号パッド２１０上に設けられて前記軟性フィルム３２０を前記信号パッド２１０に付着させる。
【００７６】
前記軟性フィルム３２０は前記異方性導電フィルム３１０を介して前記信号パッド２１０上に付着される。図示してはいないが、前記軟性フィルム３２０には、前記信号パッド２１０とドライブＩＣとを接続する配線、前記信号パッド２１０と回路基板の配線とを接続する配線が設けられてもよい。
【００７７】
また、前記ベース基板１２０上のアクティブ領域Ａ／Ａとパッド領域（Ｐ／Ａ）との間にはカバー層２２０がさらに設けられてもよい。
【００７８】
前記カバー層２２０はポリマー材質を含むものであり、前記薄膜トランジスタ層１３０と前記信号パッド２１０間のリンクラインを覆うように前記ベース基板１２０上にコートされる。このようなカバー層２２０は、「ｔｕｆｆｙ」と呼ばれる防湿剤物質で形成され、外部衝撃からリンクラインを保護するとともに、リンクラインへの透湿を防止することができる。
【００７９】
特に、本発明の実施例で、前記カバー層２２０は前記アクティブ領域Ａ／Ａと接する前記アクティブ領域Ａ／Ａの外周で前記接着層１６０よりも高く設けられて、前記接着層１６０からのた透湿を防止することができる。
【００８０】
すなわち、前述したように、本発明の実施例では、前記アクティブ領域Ａ／Ａの外周に設けられた前記封止基板１７０の厚さが、前記アクティブ領域Ａ／Ａに設けられた前記封止基板１７０の厚さよりも厚く設けられ、特に、前記有機発光素子層１４０の側面が前記接着層１６０から露出されないように、前記封止基板１７０及び前記カバー層２２０は前記アクティブ領域Ａ／Ａの外周で互いに接するように設けられてもよい。
【００８１】
したがって、図４に示すように、前記有機発光層１４０の側面は、前記封止基板１７０及び前記カバー層２２０によって全て覆われるため、前記接着層１６０からの透湿を防止することができる。
【００８２】
また、前記ベース基板１２０の下面上には、前記ベース基板１２０を支持するためのバックフィルム１１０をさらに設けることができる。具体的に、前記バックフィルム１１０はラミネーション工程によって前記ベース基板１２０の下面に付着され、前記ベース基板１２０を平坦な平面状態に維持させることができる。
【００８３】
図５は、図３のＡ−Ａ’ラインに沿って切り取った、本発明の第２実施例に係る有機発光表示装置の断面図であり、これは、アクティブ領域Ａ／Ａとアクティブ領域Ａ／Ａの外周で封止基板１７０が段差を有するように設けられた以外は、図４に示した有機発光表示装置と同一である。したがって、同一の構成には同一の図面符号を付し、同一の構成に関する反復説明は省略するものとする。
【００８４】
図５に示すように、本発明の第２実施例に係る有機発光表示装置の前記封止基板１７０は、アクティブ領域Ａ／Ａ及びアクティブ領域Ａ／Ａの外周で段差を有するように設けられることにより、有機発光素子層１４０の側面に設けられた接着層１６０から水分が浸透することを防止する。または、本発明の第２実施例に係る有機発光表示装置の前記封止基板１７０は、アクティブ領域Ａ／Ａの外周で上面が傾斜（すなわち、カーブ）を有するように設けられてもよい。この場合、アクティブ領域Ａ／Ａの外周における前記封止基板１７０の傾斜した上面は、アクティブ領域Ａ／Ａの外周のカバー層２２０の近くで低く設けられ、アクティブ領域Ａ／Ａで高く設けられ得る。
【００８５】
また、アクティブ領域Ａ／Ａの外周で傾斜した上面を有する前記封止基板１７０の一部は、前記接着層１６０の下部領域の平坦な上面に隣接した平坦な下面を有することができる。又は、アクティブ領域Ａ／Ａの外周で傾斜した上面を有する前記封止基板１７０の一部は、アクティブ領域Ａ／Ａの外周で傾斜した（すなわち、カーブ）下面を有してもよい。アクティブ領域Ａ／Ａの外周で傾斜した上面と傾斜した下面を有する前記封止基板１７０は、アクティブ領域Ａ／Ａの外周に行くほど狭くなって前記封止基板１７０末端の最下部でポイントを形成することができる。この場合、アクティブ領域Ａ／Ａの外周で前記封止基板１７０末端の最下部ポイントは前記接着層１６０に接触し得る。
【００８６】
前記接着層１６０は前記有機発光素子層１４０の上面の他に側面も覆うように設けられるため、前記接着層１６０はベース基板１２０上で前記アクティブ領域Ａ／Ａだけでなく前記アクティブ領域Ａ／Ａの外周にも設けられ、前記接着層１６０上に設けられる前記封止基板１７０も、前記アクティブ領域Ａ／Ａ及び前記アクティブ領域Ａ／Ａの外周に設けられる。
【００８７】
特に、本発明の第２実施例に係る前記封止基板１７０は、図５に示すように、前記アクティブ領域Ａ／Ａ及び前記アクティブ領域Ａ／Ａの外周で段差を有するように設けられ、具体的に、前記封止基板１７０は前記アクティブ領域Ａ／Ａの外周で相対的に下部、すなわち、より低い位置に設けられるように段差を有することによって、前記有機発光素子層１４０の側面に設けられた前記接着層１６０から水分が浸透することを防止する。
【００８８】
このとき、前記封止基板１７０は、前記アクティブ領域Ａ／Ａ及び前記アクティブ領域Ａ／Ａの外周で同一の厚さを有するとともに、段差を有するように設けられてもよいが、本発明の第２実施例では、前記封止基板１７０が前記アクティブ領域Ａ／Ａの外周で相対的に厚く設けられることにより、前記有機発光素子層１４０の側面での水分浸透をより効果的に防止することができる。
【００８９】
また、本発明の第２実施例でも、前記ベース基板１２０上のアクティブ領域Ａ／Ａとパッド領域（Ｐ／Ａ）との間にカバー層２２０がさらに設けられた場合、前記カバー層２２０は、前記アクティブ領域Ａ／Ａと接する前記アクティブ領域Ａ／Ａの外周で前記接着層１６０の下部と同一の高さで設けられ、前記接着層１６０からの透湿を防止することができる。または、前記カバー層２２０は、アクティブ領域Ａ／Ａの外周で前記接着層１６０の下部よりも高く設けられてもよく、前記接着層１６０の上部よりも高く設けられてもよい。前記カバー層２２０は平坦に形成され、パッド領域Ｐ／Ａの周辺で相対的に低く、前記接着層１６０の周辺で相対的に高く設けられ得る。または、前記カバー層２２０は、傾斜（すなわち、カーブ）を有するように形成され、パッド領域Ｐ／Ａの周辺で相対的に低く、前記接着層１６０の周辺で相対的に高く設けられてもよい。
【００９０】
すなわち、前述したように、本発明の第２実施例では、前記アクティブ領域Ａ／Ａの外周に設けられた前記封止基板１７０の厚さが前記アクティブ領域Ａ／Ａに設けられた前記封止基板１７０の厚さよりも厚く設けられ、特に、前記有機発光素子層１４０の側面が前記接着層１６０から露出されないように、前記封止基板１７０と前記カバー層２２０は前記アクティブ領域Ａ／Ａの外周で互いに接するように設けられてもよい。
【００９１】
したがって、図５に示すように、前記有機発光層１４０の側面は、前記封止基板１７０及び前記カバー層２２０によって全て覆われるため、前記接着層１６０からの透湿を防止することができる。
【００９２】
また、本発明の実施例では、前記アクティブ領域Ａ／Ａに設けられた前記封止基板１７０の厚さを、従来の有機発光表示装置に比べて薄くし、前記接着層１６０の厚さを従来の有機発光表示装置に比べて厚くすることによって、有機発光表示装置の安定したフレキシビリティを実現することができる。
【００９３】
以下では、有機発光表示装置の安定したフレキシビリティ実現のための本発明の実施例に係る特徴を説明する。
【００９４】
具体的に、フレキシブル有機発光表示装置において、有機発光表示装置の曲げ剛さ（Ｆｌｅｘｕｒａｌ  ｒｉｇｉｄｉｔｙ）は、下式のように演算される。このとき、有機発光表示装置の曲げ剛さが大きい値を有するということは、有機発光表示装置がよく曲がらない、すなわち、フレキシビリティがよくないことを意味する。
【００９５】
【数１】
0006765950.tif 000002
【００９６】
ここで、Ｅは各レイヤのモジュラス（ｍｏｄｕｌｕｓ）、ｈは各レイヤの高さ、υはポアソン比（Ｐｏｉｓｓｏｎ’ｓ  ｒａｔｉｏ）を意味する。
【００９７】
すなわち、有機発光表示パネルの曲げ剛さは、パネルに積層された様々なレイヤのモジュラス及び厚さによって変わる。特に、有機発光表示装置の積層構造において前記封止基板１７０は数百ＧＰａのモジュラス値を有し、最も厚い厚さで設けられるが、前記封止基板１７０以外のレイヤはいずれも、数ＧＰａ以下に過ぎないモジュラス値を有する。
【００９８】
したがって、有機発光表示パネルのフレキシビリティは前記封止基板１７０の特性によって支配的に決定され、前記封止基板１７０の厚さを減らすことによって有機発光表示パネルのフレキシビリティを極大化することができる。
【００９９】
図６は、フレキシブル有機発光表示装置に曲げが発生した場合、中立面を基準に引張力及び圧縮力の相対的な大きさを示すグラフである。
【０１００】
図６は、図４及び図５に示す有機発光表示装置が上方に膨らむようにベンディング（ｂｅｎｄｉｎｇ）された場合に、中立面（Ｎｅｕｔｒａｌ  Ｐｌａｎｅ；ＮＰ）を基準に上下部で発生する引張力（ｔｅｎｓｉｌｅ）及び圧縮力（ｃｏｍｐｒｅｓｓｉｖｅ）の相対的な大きさを示すグラフである。
【０１０１】
すなわち、図６に示すように、有機発光表示装置が上方に膨らむようにベンディングされた場合に、中立面を基準に上部へ行くほど引張力が相対的に大きくなり、下部へ行くほど圧縮力が相対的に大きくなることが分かる。
【０１０２】
このとき、有機発光表示装置には様々なレイヤが積層されているため、積層されたレイヤの特性によって、大きすぎる引張力や圧縮力が加えられる場合には有機発光表示装置全体の安定性が害されることがある。
【０１０３】
具体的に、前記中立面は、中立面を基準に上部に積層されたレイヤの曲げ剛さと、中立面を基準に下部に積層されたレイヤの曲げ剛さが同一の値を有する位置として決定されるが、従来の有機発光表示装置では、封止基板の厚さが厚かったため、中立面が相対的に高い位置、すなわち、接着層と封止基板との境界領域に形成されていた。
【０１０４】
このため、従来の有機発光表示装置をベンディングする場合、有機発光素子層に強い引張力又は圧縮力が加えられ、有機発光素子層に設けられた有機発光層とカソード電極間に剥離が発生する問題があった。すなわち、有機物で設けられる有機発光層と金属で設けられるカソード電極は各物質特性の差異によって接着力が弱く、有機発光素子層に強い引張力又は圧縮力が加えられる場合にはそれらが剥離されるという問題があった。
【０１０５】
このような問題を解決するために、本発明の実施例に係る有機発光表示装置の接着層及び封止基板を、中立面が有機発光素子層の下部の薄膜トランジスタ層に位置し得る厚さに形成することができる。
【０１０６】
図７Ａ及び図７Ｂは、従来の有機発光表示装置における中立面の位置と本発明の実施例に係る有機発光表示装置における中立面の位置とを比較した図である。
【０１０７】
図７Ａは、従来の有機発光表示装置に含まれた封止基板の厚さによって中立面が接着層と封止基板との境界領域に位置する場合を示し、図７Ｂは、本発明の実施例によって設けられた接着層と封止基板の厚さによって中立面が薄膜トランジスタ層に位置する場合を示す。
【０１０８】
図７Ａ及び図７Ｂに示すように、従来の有機発光表示装置と本発明の実施例に係る有機発光表示装置は、バックフィルム１５，１１０、ベース基板１０，１２０、薄膜トランジスタ層１１，１３０、有機発光素子層１２，１４０、接着層１３，１６０及び封止基板１４，１７０をそれぞれ含むことができる。
【０１０９】
このとき、図７Ｂに示すように、本発明の実施例に係る有機発光表示装置は、従来の有機発光表示装置に比べて、アクティブ領域Ａ／Ａで前記封止基板１７０の厚さが相対的に薄く、前記接着層１６０の厚さが相対的に厚く設けられていることが確認できる。本発明の第２実施例によれば、中立面と前記薄膜トランジスタ層１３０は前記有機発光素子層１４０の下部に設けられ、前記ベース基板１２０は前記薄膜トランジスタ層１３０及び前記有機発光素子層１４０の下部に設けられ得る。前記中立面は、前記薄膜トランジスタ層１３０に位置し得る。または、前記中立面は前記ベース基板１２０の上部に位置してもよい。
【０１１０】
具体的に、前記薄膜トランジスタ層１３０の上部に積層された構成の曲げ剛さと、前記薄膜トランジスタ層１３０の下部に積層された構成の曲げ剛さとが同一の値を有するように前記接着層１６０の厚さを増やし、前記封止基板１７０の厚さを減らすことによって、中立面の位置を調節することができる。
【０１１１】
したがって、本発明の実施例に係る有機発光表示装置をベンディングする場合、前記有機発光素子層１４０には弱い引張力又は圧縮力しか加えられず、有機発光表示装置の安定したフレキシビリティを実現することができる。
【０１１２】
このとき、中立面が有機発光素子層に設けられる厚さに接着層及び封止基板の厚さを調節することによって、有機発光素子層に最小限の引張力や圧縮力が加えられるようにしてもよいが、本発明の実施例では、前述したように、中立面が前記薄膜トランジスタ層１３０に位置するように設けられる。
【０１１３】
すなわち、中立面が前記有機発光素子層１４０に設けられる場合には、図６に示すように前記有機発光素子層１３０に最小限の引張力や圧縮力を加えることができるが、有機発光表示装置をベンディングする場合、前記有機発光素子層１３０の内部で前記中立面を基準に上部領域と下部領域には異なる外力、すなわち、一側には引張力又は圧縮力が加えられ、他側には圧縮力又は引張力が加えられる。
【０１１４】
この場合、同一のレイヤの上部領域と下部領域に異なる外力が加えられるため、前記有機発光素子層１３０は、せん断応力（ｓｈｅａｒ  ｓｔｒｅｓｓ）によって有機発光層とカソード電極間に剥離現象が発生する。
【０１１５】
したがって、本発明の実施例では、前記有機発光素子層１３０ではなく前記薄膜トランジスタ層１３０に中立面が位置し得るように、アクティブ領域Ａ／Ａとアクティブ領域Ａ／Ａの外周で異なる厚さを有するように前記接着層１６０及び前記封止基板１７０を具備するとともに、前記アクティブ領域Ａ／Ａで前記接着層１６０は厚い厚さで設けられ、前記封止基板１７０は薄い厚さで設けられることを特徴とする。すなわち、前記薄膜トランジスタ層１３０を構成する電極は最も安定的に積層されてせん断応力にもよく耐えられるため、本発明の実施例では中立面が前記薄膜トランジスタ層１３０に位置するように前記接着層１６０及び前記封止基板１７０が設けられる。
【０１１６】
図８Ａ乃至図８Ｄは、本発明の第１実施例に係る有機発光表示装置の接着層及び封止基板の製造方法を示す工程断面図であり、これは、前述した、図４に示した本発明の第１実施例に係る有機発光表示装置の接着層及び封止基板の製造方法に関するものである。したがって、同一の構成には同一の図面符号を付し、各構成の物質及び構造などにおいて反復される部分に関する重複説明は省略するものとする。
【０１１７】
まず、図８Ａに示すように、有機発光表示装置のアクティブ領域Ａ／Ａに対応する中心領域が凸状に形成されたローラｒ及び封止基板１７０を準備する。
【０１１８】
次に、図８Ｂに示すように、前記ローラｒで前記封止基板１７０を圧延することによって、前記アクティブ領域Ａ／Ａに対応する領域が相対的に薄い厚さで形成された前記封止基板１７０を得る。特に、本発明の第１実施例では、前記アクティブ領域Ａ／Ａで中立面を所望の位置に形成し得るように前記封止基板１７０の厚さを薄く形成しなければならない。そのために、前記アクティブ領域Ａ／Ａで前記封止基板１７０の厚さが所望のレベルで形成され得る力で前記ローラｒを用いて圧延を行う。
【０１１９】
次に、図８Ｃに示すように、前記封止基板１７０、及び接着層１６０を形成する接着剤を準備し、前記封止基板１７０に前記接着層１６０をラミネーションする。
【０１２０】
次に、図８Ｄに示すように、前記アクティブ領域Ａ／Ａに対応する領域及び前記アクティブ領域Ａ／Ａの外周で異なる厚さで形成された封止基板１７０及び接着層１６０を得る。
【０１２１】
そして、図８Ｄの過程で得た封止基板１７０及び接着層１６０を、ベース基板上に設けられた有機発光素子層に貼り合わせることによって、有機発光素子層の封止された有機発光表示装置を得ることができる。
【０１２２】
図８Ｃでは、前記アクティブ領域Ａ／Ａに対応する領域で相対的に薄い厚さで形成される前記封止基板１７０に前記接着層１６０を全面ラミネーションすることを示しているが、本発明の実施例はこれに限定されない。したがって、図８Ｃでは、ローラを用いて前記封止基板１７０に前記接着層１６０をラミネーションすることも可能である。
【０１２３】
図９Ａ乃至図９Ｃは、本発明の第２実施例に係る有機発光表示装置の接着層及び封止基板の製造方法を示す工程断面図であり、これは、前述した、図５に示した本発明の第２実施例に係る有機発光表示装置の接着層及び封止基板の製造方法に関するものである。したがって、同一の構成には同一の図面符号を付し、各構成の物質及び構造などにおいて反復される部分に関する重複説明は省略するものとする。
【０１２４】
まず、図９Ａに示すように、有機発光表示装置の有機発光素子層（図示せず）の上面及び側面を覆い得る長さでラミネーションされた接着層１６０と封止基板１７０を準備する。
【０１２５】
次に、図９Ｂに示すように、有機発光表示装置のアクティブ領域Ａ／Ａに対応する中心領域が凹状に形成されたローラｒを準備し、前記ローラｒで前記接着層１６０及び前記封止基板１７０の上面を圧延する。特に、本発明の第２実施例では、前記アクティブ領域Ａ／Ａにおいて中立面を所望の位置に形成し得るように前記封止基板１７０の厚さを薄く形成しなければならない。そのために、前記アクティブ領域Ａ／Ａで前記封止基板１７０の厚さが所望のレベルに形成され得る力で前記ローラｒを用いて圧延を行う。
【０１２６】
次に、図９Ｃに示すように、前記アクティブ領域Ａ／Ａに対応する領域及び前記アクティブ領域Ａ／Ａの外周で段差を有するように形成された封止基板１７０及び接着層１６０を得る。
【０１２７】
以上、添付の図面を参照して本発明の実施例をより詳しく説明したが、本発明は必ずしもそれらの実施例に限定されず、本発明の技術思想から逸脱しない範囲内で様々に変形実施してもよい。したがって、本発明に開示された実施例は、本発明の技術思想を限定するためのものではなく説明するためのものであり、このような実施例によって本発明の技術思想の範囲が限定されるわけではない。したがって、以上に述べた実施例はいずれの面においても例示的なものであり、限定的なものではないと理解しなければならない。本発明の保護範囲は特許請求の範囲によって解釈すべきであり、それと同等な範囲内における全ての技術思想は本発明の権利範囲に含まれるものと解釈すべきであろう。
【符号の説明】
【０１２８】
１００：有機発光表示パネル      １１０：バックフィルム
１２０：ベース基板              １３０：薄膜トランジスタ層
１４０：有機発光素子層          １６０：接着層
１７０：封止基板                ２００：ゲート駆動部
２１０：信号パッド              ２２０：カバー層
３１０：異方性導電フィルム      ３２０：軟性フィルム
３３０：ドライブＩＣ            ４００：回路基板
４１０：タイミング制御部
【図１】
0006765950.tif 000003
【図２】
0006765950.tif 000004
【図３】
0006765950.tif 000005
【図４】
0006765950.tif 000006
【図５】
0006765950.tif 000007
【図６】
0006765950.tif 000008
【図７Ａ】
0006765950.tif 000009
【図７Ｂ】
0006765950.tif 000010
【図８Ａ】
0006765950.tif 000011
【図８Ｂ】
0006765950.tif 000012
【図８Ｃ】
0006765950.tif 000013
【図８Ｄ】
0006765950.tif 000014
【図９Ａ】
0006765950.tif 000015
【図９Ｂ】
0006765950.tif 000016
【図９Ｃ】
0006765950.tif 000017